(57)【特許請求の範囲】
【請求項１】
中空のハウジング内に、電磁安全弁の弁座が形成され、電磁安全弁をカバーした状態で格納される円筒状のケースを備え、ハウジングの側面に形成したガス流入孔を通って流入するガスから固形の異物を除去するメッシュ状のフィルタ部を上記ケースの円筒部の一部に形成したガスバルブにおいて、フィルタ部の外周面を、ケースの他の円筒部の外周面より一段下げて形成すると共に、フィルタ部の面積をガス流入孔の面積より広く形成し、ハウジングの内周面とフィルタ部の外周面との間に形成される隙間にガス流入孔からのガスを流して、フィルタ部の全域をガスが通過し得るように構成したことを特徴とするガスバルブ。
【請求項２】
上記フィルタ部の中心点を通るリブをフィルタ部の外周面側に形成し、このリブを挟んで両側にガスを流すようにしたことを特徴とする請求項１に記載のガスバルブ。
【発明の詳細な説明】
【技術分野】
【０００１】
本発明は、電磁安全弁をカバーする樹脂製のケースを備えたガスバルブに関する。
【背景技術】
【０００２】
ガスバルブは内部にガス通路を有しており、このガス通路にガス流入孔からガスが流入すると、電磁安全弁から火力調節部を経てノズルに達し、ノズルからガスバーナへとガスが噴出するように構成されている。ガス流入孔から流入するガスに塵埃などの固形の異物が混入していると、電磁安全弁の弁体と弁座との間にその異物が挟まる恐れがある。このように弁体と弁座との間に固形の異物が挟まると閉弁不良が生じるため、ガス流入孔から流入するガスから異物を除去するメッシュ状のフィルタが設けられている。
【０００３】
このフィルタを別部品としてガス流入孔に設置してもよいが、電磁安全弁をカバーする樹脂製のケースにフィルタ部を一体に形成したものが知られている（例えば、特許文献１参照）。このケースは電磁安全弁の弁体が着座する弁座を構成するために、電磁安全弁をカバーするように取り付けられるもので、ほぼ円筒状に成形されている。その円筒状の周壁（円筒部）の一部に射出成形の際にメッシュ状のフィルタ部を、ケースに一体に形成している。
【先行技術文献】
【特許文献】
【０００４】
【特許文献１】特開２００２−１３０６５２号公報（図１、図２、段落００１０）
【発明の概要】
【発明が解決しようとする課題】
【０００５】
上記特許文献１に記載されたものでは、ケースの周壁の一部を単にメッシュ状にしてフィルタ部を形成しただけであるので、フィルタ部の外周面は他の円筒部の外周面の延長上に位置する。このような形状であると、ケースをガスバルブのハウジング内に収納すると、フィルタ部の外周面がガス流入孔の出口部分に密着することになる。このため、ガス流入孔を通ってきたガスは、ガス流入孔の開口面積のままフィルタ部を通過することになる。ところが、フィルタ部はメッシュ状であるので、開口率が１００％以下であり、このためガス流入孔を通ってきたガスの流れはフィルタ部で絞られることになる。これによりフィルタ部はガスの流れに対して抵抗となるので、ガス流入孔の通路面積を本来必要とされる面積より広く設定せざるを得なくなる。
【０００６】
そこで本発明は、上記の問題点に鑑み、ケースにフィルタ部を設けてもガス流入孔の通路面積を必要以上に大きくする必要のないガスバルブを提供することを課題とする。
【課題を解決するための手段】
【０００７】
上記課題を解決するために本発明によるガスバルブは、中空のハウジング内に、電磁安全弁の弁座が形成され、電磁安全弁をカバーした状態で格納される円筒状のケースを備え、ハウジングの側面に形成したガス流入孔を通って流入するガスから固形の異物を除去するメッシュ状のフィルタ部を上記ケースの円筒部の一部に形成したガスバルブにおいて、フィルタ部の外周面を、ケースの他の部分の外周面より一段下げて形成すると共に、フィルタ部の面積をガス流入孔の面積より広く形成し、ハウジングの内周面とフィルタ部の外周面との間に形成される隙間にガス流入孔からのガスを流して、フィルタ部の全域をガスが通過し得るように構成したことを特徴とする。
【０００８】
ハウジングの内周面とフィルタ部の外周面との間に隙間が形成されるので、フィルタ部の面積をガス流入孔の面積より広くすることによってガスがフィルタ部の全域を通ることができ、フィルタ部が抵抗とならない。
【０００９】
なお、上記構成ではフィルタ部が他の円筒部よりも薄くなるため、フィルタ部が変形しやすくなる。仮にフィルタ部が変形すると電磁安全弁の弁体と接触してフィルタ部が破損したり、フィルタ部に弁体が干渉して弁体の動きが阻害される恐れが生じるが、上記フィルタ部の中心点を通るリブをフィルタ部の外周面側に形成し、このリブを挟んで両側にガスを流すようにすれば、ガスの流れを阻害することなくフィルタ部を補強しフィルタ部の変形を防止することができる。
【発明の効果】
【００１０】
以上の説明から明らかなように、本発明は、フィルタ部がガスの流れの抵抗とならないので、ガス流入孔の通路面積を必要以上に大きくする必要が無い。
【図面の簡単な説明】
【００１１】
【図１】本発明によるガスバルブの外観を示す斜視図
【図２】II部の断面図
【図３】ケースの側面を示す斜視図
【図４】図３の裏側の側面を示す斜視図
【図５】V-V断面図
【発明を実施するための形態】
【００１２】
図１を参照して、１は本発明によるガスバルブの一例である。１１は火力調節レバーで、この火力調節レバー１１を左右にスライドさせると、ノズル１４から噴出するガスの量が増減するように構成されている。このノズル１４から噴出されるガスは、ガス流入孔１３からハウジング１０内に流入したものである。点消火ボタン１２を押し操作すると、II部として破線で囲んだ部分に内蔵された電磁安全弁が強制的に開弁され、ガス流入孔１３から流入したガスが、元ガス弁Ｍ及び火力調節レバー１１によって開度調節される流量調節部を通って上記ノズル１４へと流れるように構成されている。
【００１３】
図２を参照して、ハウジング１０はアルミダイキャストによって成形されている。ハウジング１０の内部には電磁安全弁２が収納される空間が形成されているが、この空間を形成するため、図において右側に対してこの空間は開放されている。そして、電磁安全弁２を図において右方向から挿入することにより、電磁安全弁２に装着したＯリングによってこのハウジング１０内部の空間を閉鎖している。
【００１４】
一方、ガス流入孔１３はダイキャスト時に成形された後、仕上工程でドリル加工が行われる。従来はガス流入孔１３のみを加工していたが、本発明では、そのドリル加工の際にドリル歯を更に前進させて、ガス流入孔１３の中心軸線上に係合孔１５を形成した。なお、この係合孔１５の直径はガス流入孔１３と同じ直径にする必要は無く、段付きドリルを用いてガス流入孔１３よりも小径な係合孔１５を形成してもよい。この場合、回転方向の位置決めがより正確になる。
【００１５】
上記電磁安全弁２は点火操作がされる前は閉弁状態でガスの下流への流れを遮断する必要がある。そのため、電磁安全弁２の弁体が着座する弁座が必要となるが、その弁座をハウジング１０に設けるとすると、ハウジング１０の内部に機械加工によって弁座を形成する必要がある。ところが、弁座を形成するために鋳肌を削れば巣穴が露出する可能性が増加するため、弁座３ａが形成された樹脂製のケース３に電磁安全弁２を収納した状態でハウジング１０内に電磁安全弁２を格納している。
【００１６】
図３および図４を合わせて参照して、このケース３は射出成形により一体に成形される。筒状の周壁の一部には図３に示すようにメッシュ状のフィルタ部３１が形成されている。このフィルタ部３１は他の周壁部分より肉薄に形成されており、他の周壁部分の外周面から一段下がるように形成されている。但し、このように肉薄のままではフィルタ部３１が変形しやすいので、フィルタ部３１の中心３１Ｃを通るリブを設けた。本実施の形態では中心３１Ｃを通る２本のリブとして、縦リブ３１Ｒ１と横リブ３１Ｒ２とを形成した。
【００１７】
また、このフィルタ部３１の反対側には図４に示す係合爪３２を形成した。この係合爪３２は、ケース３をハウジング１０内に挿入する際に、所定の位置まで挿入すると上記係合孔１５に係合してケース３の挿入方向及び回転方向の位置決めを行うと共に、ケース３の抜け止めを行うものである。
【００１８】
上述のように、係合孔１５はガス流入孔１３の反対側に形成されているので、係合爪３２が係合孔１５に係合すると、フィルタ部３１はガス流入孔１３に一致することになる。ガス流入孔１３から流入するガス中に塵埃などが含まれていると、このフィルタ部３１で塵埃が捕捉され、ケース３内に塵埃が入ることが防止される。
【００１９】
ところで、図５に示すように、フィルタ部３１の面積はガス流入孔１３よりも広く設定されている。仮に同じ面積であるとすると、フィルタ部３１の開口率が１００％ではないので、実質的にフィルタ部３１でガスの通路面積が狭められることになるからである。図５に示すように、フィルタ部３１の外周面は周囲から一段下がっているので、ハウジング１０の内周面とフィルタ部３１との間にはガスが流れることのできる隙間３３が形成される。また、リブ３１Ｒ１，３１Ｒ２は共にフィルタ部３１の中心３１Ｃを通っているので、ガス流入孔１３から流入するガスはリブ３１Ｒ１，３１Ｒ２によって、左右および前後に分けられ、リブ３１Ｒ１，３１Ｒ２がガスの流れを邪魔することはない。
【００２０】
なお、本発明は上記した形態に限定されるものではなく、本発明の要旨を逸脱しない範囲内において種々の変更を加えてもかまわない。例えば、上記の実施形態では火力調節機能を備えたバスバルブについて説明したが、火力調節機能を備えない開閉弁タイプのガスバルブに本発明を適用することも可能である。
【符号の説明】
【００２１】
１  ガスバルブ
１３  ガス流入孔
１５  係合孔
２  電磁安全弁
３  ケース
３１  フィルタ部
３２  係合爪
３３  隙間
３１Ｒ１  リブ
３１Ｒ２  リブ
【図１】
0005522642.tif 000002
【図２】
0005522642.tif 000003
【図３】
0005522642.tif 000004
【図４】
0005522642.tif 000005
【図５】
0005522642.tif 000006